(57)【要約】本願は、クリアチャネルのリスニング方法、装置及び機器を提供し、通信技術の分野に属する。前記方法は、信号ブロックのセットを決定し、前記信号ブロックのセットがｎ個の信号ブロックを含み、信号ブロックごとに、少なくとも１つの信号及び／又は少なくとも１つのチャネルを含み、前記ｎが１以上の整数であることと、前記信号ブロックのセットに含まれた信号ブロックを送信する前に、アンライセンススペクトルのチャネルに対してＣＣＡを１回実行することと、前記ＣＣＡの結果は、前記アンライセンススペクトルのチャネルが利用できることであると、前記アンライセンススペクトルのチャネルを利用して前記信号ブロックのセットに含まれた信号ブロックを送信することと、を含む。本願は、ＮＲシステムにおいてアンライセンススペクトルを利用して信号ブロックを伝送する解決手段を提供し、信号ブロックの間の間隔がＣＣＡ検出時間を満たすことができないという問題を解決し、アクセスネットワーク機器が信号ブロックを伝送するとき、適切な指向性ＬＢＴを行い、送信成功率を向上させることを容易にする。【選択図】図５
2021521669.tif 000002
【特許請求の範囲】
【請求項１】
クリアチャネルのリスニング方法であって、前記方法は、
信号ブロックのセットを決定し、前記信号ブロックのセットがｎ個の信号ブロックを含み、信号ブロックごとに、少なくとも１つの信号及び／又は少なくとも１つのチャネルを含み、前記ｎが１以上の整数であることと、
前記信号ブロックのセットに含まれた信号ブロックを送信する前に、アンライセンススペクトルのチャネルに対してクリアチャネルアセスメントＣＣＡを一回実行することと、
前記ＣＣＡの結果は、前記アンライセンススペクトルのチャネルが利用できることであると、前記アンライセンススペクトルのチャネルを利用して前記信号ブロックのセットに含まれた信号ブロックを送信することと、を含むことを特徴とするクリアチャネルのリスニング方法。
【請求項２】
前記信号ブロックは同期信号ブロックＳＳＢであることを特徴とする請求項１に記載の方法。
【請求項３】
信号ブロックごとに、１つのＳＳＢと関連関係がある少なくとも１つの信号及び／又は少なくとも１つのチャネルを含むことを特徴とする請求項１に記載の方法。
【請求項４】
信号ブロックごとに、１つのＳＳＢ、および前記１つのＳＳＢと関連関係がある少なくとも１つの信号及び／又は少なくとも１つのチャネルを含むことを特徴とする請求項１に記載の方法。
【請求項５】
前記少なくとも１つの信号は、チャネル状態情報基準信号ＣＳＩ−ＲＳ、位相追跡基準信号ＰＴＲＳ、復調基準信号ＤＭＲＳのうちの少なくとも１つを含むことを特徴とする請求項３又は請求項４に記載の方法。
【請求項６】
前記少なくとも１つのチャネルは、残り最小のシステム情報ＲＭＳＩをベアするチャネル、ＲＭＳＩに関連する物理ダウン制御チャネルＰＤＣＣＨ、ページング情報をベアするチャネル、ページング情報に関連するＰＤＣＣＨ、他のシステム情報ＯＳＩをベアするチャネル、ＯＳＩに関連するＰＤＣＣＨのうちの少なくとも１つを含むことを特徴とする請求項３又は請求項４に記載の方法。
【請求項７】
前記信号ブロックのセットのうちの１番目の実際に送信する必要がある信号ブロックを送信する前に、前記ＣＣＡを１回実行することを特徴とする請求項１〜請求項６のいずれか１項に記載の方法。
【請求項８】
前記信号ブロックのセットのうちの２つの隣接する信号ブロックを送信する前に、ＣＣＡを実行しないことを特徴とする請求項１〜請求項７のいずれか１項に記載の方法。
【請求項９】
前記アンライセンススペクトルのチャネルを利用してもう１つの信号ブロックのセットに含まれた信号ブロックを送信する前に、前記アンライセンススペクトルのチャネルに対してＣＣＡをもう１回実行することを特徴とする請求項１〜請求項８のいずれか１項に記載の方法。
【請求項１０】
前記ＣＣＡの方向は前記信号ブロックのセット中の任意の１つの信号ブロックのビーム方向と同様であることを特徴とする請求項１〜請求項９のいずれか１項に記載の方法。
【請求項１１】
前記ＣＣＡの方向は前記信号ブロックのセット中の信号ブロックごとのビーム方向といずれも異なることを特徴とする請求項１〜請求項９のいずれか１項に記載の方法。
【請求項１２】
時間ドメインでの間隔が前記ＣＣＡの実行期間より小さい２つの隣接する信号ブロックは、同一信号ブロックのセットに分割されることを特徴とする請求項１〜請求項１１のいずれか１項に記載の方法。
【請求項１３】
時間ドメイン上で同一時間ドメイン分割区間に属する少なくとも２つの信号ブロックは、同一信号ブロックのセットに分割されることを特徴とする請求項１〜請求項１２のいずれか１項に記載の方法。
【請求項１４】
前記時間ドメイン分割区間は、１つのサブフレーム、ハーフのサブフレーム、１つのタイムスロット、２つまたは２つ以上のタイムスロットのうちのいずれか１つであることを特徴とする請求項１３に記載の方法。
【請求項１５】
クリアチャネルのリスニング装置であって、前記装置は、
信号ブロックのセットを決定するためのセット決定モジュールであって、前記信号ブロックのセットがｎ個の信号ブロックを含み、信号ブロックごとに、少なくとも１つの信号及び／又は少なくとも１つのチャネルを含み、前記ｎが１以上の整数であるセット決定モジュールと、
前記信号ブロックのセットに含まれた信号ブロックを送信する前に、アンライセンススペクトルのチャネルに対してクリアチャネルアセスメントＣＣＡを一回実行するためのチャネルリスニングモジュールと、
前記ＣＣＡの結果は、前記アンライセンススペクトルのチャネルが利用できることであると、前記アンライセンススペクトルのチャネルを利用して前記信号ブロックのセットに含まれた信号ブロックを送信するための信号送信モジュールと、を含むことを特徴とするクリアチャネルのリスニング装置。
【請求項１６】
前記信号ブロックは同期信号ブロックＳＳＢであることを特徴とする請求項１５に記載の装置。
【請求項１７】
信号ブロックごとに、１つのＳＳＢと関連関係がある少なくとも１つの信号及び／又は少なくとも１つのチャネルを含むことを特徴とする請求項１５に記載の装置。
【請求項１８】
信号ブロックごとに、１つのＳＳＢ、および前記１つのＳＳＢと関連関係がある少なくとも１つの信号及び／又は少なくとも１つのチャネルを含むことを特徴とする請求項１５に記載の装置。
【請求項１９】
前記少なくとも１つの信号は、チャネル状態情報基準信号ＣＳＩ−ＲＳ、位相追跡基準信号ＰＴＲＳ、復調基準信号ＤＭＲＳのうちの少なくとも１つを含むことを特徴とする請求項１７又は請求項１８に記載の装置。
【請求項２０】
前記少なくとも１つのチャネルは、残り最小のシステム情報ＲＭＳＩをベアするチャネル、ＲＭＳＩに関連する物理ダウン制御チャネルＰＤＣＣＨ、ページング情報をベアするチャネル、ページング情報に関連するＰＤＣＣＨ、他のシステム情報ＯＳＩをベアするチャネル、ＯＳＩに関連するＰＤＣＣＨのうちの少なくとも１つを含むことを特徴とする請求項１７又は請求項１８に記載の装置。
【請求項２１】
前記信号ブロックのセットのうちの１番目の実際に送信する必要がある信号ブロックを送信する前に、前記ＣＣＡを１回実行することを特徴とする請求項１５〜請求項２０のいずれか１項に記載の装置。
【請求項２２】
前記信号ブロックのセットのうちの２つの隣接する信号ブロックを送信する前に、ＣＣＡを実行しないことを特徴とする請求項１５〜請求項２１のいずれか１項に記載の装置。
【請求項２３】
前記アンライセンススペクトルのチャネルを利用してもう１つの信号ブロックのセットに含まれた信号ブロックを送信する前に、前記アンライセンススペクトルのチャネルに対してＣＣＡをもう１回実行することを特徴とする請求項１５〜請求項２２のいずれか１項に記載の装置。
【請求項２４】
前記ＣＣＡの方向は前記信号ブロックのセット中の任意の１つの信号ブロックのビーム方向と同様であることを特徴とする請求項１５〜請求項２３のいずれか１項に記載の装置。
【請求項２５】
前記ＣＣＡの方向は前記信号ブロックのセット中の信号ブロックごとのビーム方向といずれも異なることを特徴とする請求項１５〜請求項２３のいずれか１項に記載の装置。
【請求項２６】
時間ドメインでの間隔が前記ＣＣＡの実行期間より小さい２つの隣接する信号ブロックは、同一信号ブロックのセットに分割されることを特徴とする請求項１５〜請求項２５のいずれか１項に記載の装置。
【請求項２７】
時間ドメイン上で同一時間ドメイン分割区間に属する少なくとも２つの信号ブロックは、同一信号ブロックのセットに分割されることを特徴とする請求項１５〜請求項２６のいずれか１項に記載の装置。
【請求項２８】
前記時間ドメイン分割区間は、１つのサブフレーム、ハーフのサブフレーム、１つのタイムスロット、２つまたは２つ以上のタイムスロットのうちのいずれか１つであることを特徴とする請求項２７に記載の装置。
【請求項２９】
アクセスネットワーク機器であって、前記アクセスネットワーク機器はプロセッサとメモリとを含み、前記メモリには少なくとも１つの命令が記憶され、前記少なくとも１つの命令が前記プロセッサによって実行されることによって、上記請求項１〜請求項１４のいずれか１項に記載の方法を実現するためのものであることを特徴とするアクセスネットワーク機器。
【請求項３０】
コンピュータ可読記憶媒体であって、前記記憶媒体に少なくとも１つの命令が記憶され、前記少なくとも１つの命令がプロセッサによって実行されることによって、上記請求項１〜請求項１４のいずれか１項に記載の方法を実現するためのものであることを特徴とするコンピュータ可読記憶媒体。
【発明の詳細な説明】
【技術分野】
【０００１】
本願の実施例は、通信技術分野に関し、特に、クリアチャネルのリスニング方法、装置及び機器に関する。
【背景技術】
【０００２】
ニュ−ラジオ（Ｎｅｗ  Ｒａｄｉｏ、ＮＲ）システムにおいて、機器は、アンライセンススペクトル（ｕｎｌｉｃｅｎｓｅｄ  ｓｐｅｃｔｒｕｍ）を利用して信号伝送を行うことを許可する。
【０００３】
アンライセンススペクトルを利用して信号伝送を行う前に、機器は、リッスンビフォアトーク（ｌｉｓｔｅｎ−Ｂｅｆｏｒｅ−ｔａｌｋ、ＬＢＴ）原則に遵う必要があり、即ち、機器は、アンライセンススペクトルのチャネルが利用できるかどうかを決定するために、まず、クリアチャネルアセスメント（Ｃｌｅａｒ  Ｃｈａｎｎｅｌ  Ａｓｓｅｓｓｍｅｎｔ、ＣＣＡ）を実行し、利用できると決定したら、該アンライセンススペクトルのチャネルを介して信号を伝送する必要がある。
【発明の概要】
【発明が解決しようとする課題】
【０００４】
本願の実施例は、クリアチャネルのリスニング方法、装置及び機器を提供する。
【課題を解決するための手段】
【０００５】
１つの態様では、本願の実施例は、クリアチャネルのリスニング方法を提供し、前記方法は、
信号ブロックのセットを決定し、前記信号ブロックのセットがｎ個の信号ブロックを含み、信号ブロックごとに、少なくとも１つの信号及び／又は少なくとも１つのチャネルを含み、前記ｎが１以上の整数であることと、
前記信号ブロックのセットに含まれた信号ブロックを送信する前に、アンライセンススペクトルのチャネルに対してＣＣＡを１回実行することと、
前記ＣＣＡの結果は、前記アンライセンススペクトルのチャネルが利用できることであると、前記アンライセンススペクトルのチャネルを利用して前記信号ブロックのセットに含まれた信号ブロックを送信することと、を含む。
【０００６】
他の態様では、本願の実施例は、クリアチャネルのリスニング装置を提供し、前記装置は、
信号ブロックのセットを決定するためのセット決定モジュールであって、前記信号ブロックのセットがｎ個の信号ブロックを含み、信号ブロックごとに、少なくとも１つの信号及び／又は少なくとも１つのチャネルを含み、前記ｎが１以上の整数であるセット決定モジュールと、
前記信号ブロックのセットに含まれた信号ブロックを送信する前に、アンライセンススペクトルのチャネルに対してＣＣＡを１回実行するためのチャネルリスニングモジュールと、
前記ＣＣＡの結果は、前記アンライセンススペクトルのチャネルが利用できることであると、前記アンライセンススペクトルのチャネルを利用して前記信号ブロックのセットに含まれた信号ブロックを送信するための信号送信モジュールと、を含む。
【０００７】
別の態様では、本願の実施例は、アクセスネットワーク機器を提供し、前記アクセスネットワーク機器がプロセッサとメモリとを含み、前記メモリには少なくとも１つの命令が記憶され、前記少なくとも１つの命令が前記プロセッサによって実行されることによって、上記態様に記載の方法を実現するためのものである。
【０００８】
別の態様では、本願の実施例は、コンピュータ可読記憶媒体を提供し、前記記憶媒体には少なくとも１つの命令が記憶され、前記少なくとも１つの命令がプロセッサによって実行されることによって、上記態様に記載の方法を実現するためのものである。
【発明の効果】
【０００９】
本願の実施例は、ＮＲシステムにおいてアンライセンススペクトルを利用して信号ブロックを送信する解決手段を提供し、信号ブロックの間の間隔がＣＣＡ検出時間を満たすことができないという問題を解決し、アクセスネットワーク機器が信号ブロックを送信するとき、適切な指向性ＬＢＴを行い、送信成功率を向上させることを容易にする。
【図面の簡単な説明】
【００１０】
【図１】本願の１つの実施例によるモバイル通信システムの構造概略図である。
【図２】１５ＫＨｚサブキャリア間隔の場合、時間ドメインでのＳＳＢの分布概略図を例示的に示す。
【図３Ａ】３０ＫＨｚサブキャリア間隔の場合、時間ドメインでのＳＳＢの分布概略図を例示的に示す。
【図３Ｂ】３０ＫＨｚサブキャリア間隔の場合、時間ドメインでのＳＳＢの分布概略図を例示的に示す。
【図４】１２０ＫＨｚ及び２４０ＫＨｚサブキャリア間隔の場合、時間ドメインでのＳＳＢの分布概略図を例示的に示す。
【図５】本願の１つの実施例によるクリアチャネルのリスニング方法のフローチャートである。
【図６Ａ】ＳＳＢセットで定義されたＳＳＢの候補位置の概略図を例示的に示す。
【図６Ｂ】実際に送信される１つのＳＳＢの分布概略図を例示的に示す。
【図６Ｃ】実際に送信される他のＳＳＢの分布概略図を例示的に示す。
【図７】複数のＳＳＢセットを送信するとき、ＣＣＡを実行する概略図を例示的に示す。
【図８】本願の１つの実施例によるクリアチャネルのリスニング装置のブロック図である。
【図９】本願の１つの実施例によるアクセスネットワーク機器の構造概略図である。
【発明を実施するための形態】
【００１１】
本願の目的、技術的解決手段及び利点をより明瞭にするために、以下は、本願の実施形態について図面を参照してさらに詳細に説明する。
【００１２】
本明細書で言及した「モジュール」は、通常、メモリに記憶された、いくつかの機能を実現できるプログラム又は命令のことを指す。本明細書で言及した「ユニット」は、通常、ロジック的に分割した機能的構造のことを指し、該「ユニット」は、ハードウェアでのみ実現されてもよく、ソフトウェアとハードウェアの組み合わせで実現されてもよい。
【００１３】
本明細書で言及した「複数」は、２つ以上を意味する。「及び／又は」は、関連するオブジェクトの関連関係を説明するものであり、３つの関係が存在することができると示し、例えば、Ａ及び／又はＢは、Ａが単独で存在する状況、ＡとＢが同時に存在する状況、Ｂが単独で存在する状況という３つの状況を示すことができる。「／」というキャラクターは一般的に、前後の関連するオブジェクトが「又は」という関係であると示す。本願の明細書及び特許請求の範囲で使用した「第１」、「第２」及び類似する言葉は、何らかの順番、数量または重要性を示しているのではなく、異なる構成部分を区別するためのもの以外の何ものではない。
【００１４】
図１を参照されたい。図１は、本願の１つの実施例によるモバイル通信システムの構造概略図を示す。該モバイル通信システムは、アクセスネットワーク機器１０と端末２０とを含んでもよい。
【００１５】
アクセスネットワーク機器１０は、端末２０に無線アクセス機能を提供するために、無線アクセスネットワーク中に配置される。アクセスネットワーク機器は、基地局（Ｂａｓｅ  Ｓｔａｔｉｏｎ、ＢＳ）であってもよい。アクセスネットワーク機器１０は、１つ又は複数のアンテナを介して端末２０と無線通信することができる。アクセスネットワーク機器１０は、その位置する地理的エリアに通信カバレッジを提供することができる。前記基地局は、マクロ基地局、マイクロ基地局、中継局、アクセスポイントなど異なる種類を含んでもよい。いくつかの実施例において、基地局は、当業者によって基地局トランシーバ、無線基地局、アクセスポイント、無線トランシーバ、基本サービスセット（Ｂａｓｉｃ  Ｓｅｒｖｉｃｅ  Ｓｅｔ、ＢＳＳ）、拡張サービスセット（Ｅｘｔｅｎｄｅｄ  Ｓｅｒｖｉｃｅ  Ｓｅｔ、ＥＳＳ）、ノードＢ（ＮｏｄｅＢ）、進化型ノードＢ（ｅｖｏｌｖｅｄ  ＮｏｄｅＢ、ｅＮＢ又はｅＮｏｄｅＢ）または他のいくつかの適切な用語と呼ばれることができる。例示的に、５Ｇシステムにおいて、基地局は、ｇＮＢと呼ばれる。説明の便宜上、本願の実施例において、端末２０に無線通信機能を提供する上記装置は、統一的にアクセスネットワーク機器と呼ばれる。
【００１６】
端末２０は、モバイル通信システム全体に分散されることができ、かつそれぞれの端末２０は、固定式でも移動式でもよい。端末２０はまた、当業者によってモバイルテーション、ユーザステーション、モバイルユニット、ユーザユニット、無線ユニット、リモートユニット、モバイル機器、ユーザ機器、無線機器、無線通信機器、リモート機器、モバイルユーザステーション、アクセス端末、モバイル端末、無線端末、リモート端末、ハンドヘルド機器、ユーザエージェント、モバイルクライアント、クライアントまたはいくつかの他の適切な用語と呼ばれることができる。端末２０は、セルラー電話、パーソナルデジタルアシスタント（Ｐｅｒｓｏｎａｌ  Ｄｉｇｉｔａｌ  Ａｓｓｉｓｔａｎｔ、ＰＤＡ）、無線モデム、無線通信機器、ハンドヘルド機器、タブレット、ラップトップ、コードレス電話、ワイヤレスローカルループ（Ｗｉｒｅｌｅｓｓ  Ｌｏｃａｌ  Ｌｏｏｐ、ＷＬＬ）ステーションなどであってもよい。端末２０は、モバイル通信システムにおけるアクセスネットワーク機器１０と通信することができる。
【００１７】
アクセスネットワーク機器１０は、端末２０とラジオ技術、例えばセルラー技術によって相互通信することができる。アクセスネットワーク機器１０と端末２０との間の通信リンクは、アクセスネットワーク機器１０から端末２０へのダウンリンク（ｄｏｗｎ  ｌｉｎｋ、ＤＬ）伝送、及び／又は、端末２０からアクセスネットワーク機器１０へのアップリンク（ｕｐ  ｌｉｎｋ、ＵＰ）伝送を含んでもよい。ダウンリンク伝送はまた、フォワードリンク伝送と呼ばれてもよく、アップリンク伝送はまた、リバースリンク伝送と呼ばれてもよい。いくつかの例では、ダウンリンク伝送は、発見信号の伝送を含んでもよく、該発見信号は、基準信号及び／又は同期信号を含んでもよい。
【００１８】
いくつかの例では、通信リンクは、１つ又は複数のキャリアを含んでもよく、そのうちそれぞれのキャリアは、様々な無線技術によって変調された複数のサブキャリアからなる信号（例えば、異なる周波数を持つ波形信号）であってもよい。それぞれの変調された信号は、異なるサブキャリアで送信されることができ、かつ制御情報（例えば基準信号、制御チャネルなど）、オーバーヘッド情報、ユーザデータなどを携帯することができる。
【００１９】
上記図１で示したモバイル通信システムは、ロングタームエボリューション（Ｌｏｎｇ  Ｔｅｒｍ  Ｅｖｏｌｕｔｉｏｎ、ＬＴＥ（登録商標））システムであってもよく、ＬＴＥ−Ａ（ＬＴＥ−Ａｄｖａｎｃｅｄ）システム又は第５世代（５ｔｈ  Ｇｅｎｅｒａｔｉｏｎ、５Ｇ）システム（又はＮＲシステムと呼ばれる）などのＬＴＥシステムに基づく次世代エボリューションシステムであってもよく、５Ｇシステムに基づく次世代エボリューションシステムなどであってもよい。本願の実施例において、「システム」と「ネットワーク」という用語は、常に交換して使用することができるが、当業者であればその意味を理解することができる。
【００２０】
伝統的なＬＴＥシステムにおいて、アクセスネットワーク機器１０と端末２０とは、ライセンススペクトルを介してデータ伝送を行っている。サービス規模の拡大につれて、特にいくつかの都市部では、ライセンススペクトルはサービス規模の需要を満たすことが難しい場合がある。ライセンスアシストアクセス（Ｌｉｃｅｎｓｅｄ−ａｓｓｉｓｔｅｄ  ａｃｃｅｓｓ、ＬＡＡ）技術を導入することにより、アクセスネットワーク機器１０と端末２０とのアンライセンススペクトルを介したデータ伝送ができるようになり、より規模の大きいサービスの需要を満たす。
【００２１】
アンライセンススペクトルは、国や地域によって分割された無線機器通信に利用できるスペクトルであり、該スペクトルは、常に共有スペクトルと見なされており、即ち、異なる通信システムにおける通信機器は、国又は地域が該スペクトルで設定された規制要件を満たされれば、該スペクトルを利用することができ、政府に専用スペクトルライセンスを申請する必要がない。アンライセンススペクトルはまた、当業者によって非ライセンススペクトル、共有スペクトル、非ライセンス周波数帯域、アンライセンス周波数帯域、共有周波数帯域、ライセンス不要スペクトル、ライセンス不要周波数帯域又はいくつかの他の適切な用語と呼ばれている。
【００２２】
第３世代パートナシッププロジェクト（Ｔｈｉｒｄ  Ｇｅｎｅｒａｔｉｏｎ  Ｐａｒｔｎｅｒｓｈｉｐ  Ｐｒｏｊｅｃｔ、３ＧＰＰ（登録商標））では、ＮＲ技術を利用してアンライセンススペクトルで通信するために、ＮＲ  ｕｎｌｉｃｅｎｓｅｄ技術が現在検討中である。ＮＲシステムにおいて、比較的高い周波数帯域を使用しているため、信号は指向性ビームを使用して送信されることが多い。信号送信の指向性のため、チャネルリスニング（例えばＣＣＡ）をするとき、指向性チャネルリスニング、即ち、指向性ＬＢＴを使用することは比較的に理想な方式である。指向性ＬＢＴを用いてチャネルリスニングをした後に、チャネルがクリアであると発見すると、該指向性ビームを使用して信号を伝送することによってチャネルを占用することができる。無指向性ＬＢＴに比べて、異なるビーム方向のチャネル占用が空間分割多重によって同時に行われることができるため、指向性ＬＢＴの場合、アクセスのチャンスを増加することができる。
【００２３】
ＮＲ  ｕｎｌｉｃｅｎｓｅｄ技術に対しても、同期信号ブロック（Ｓｙｎｃｈｒｏｎｉｚａｔｉｏｎ  Ｓｉｇｎａｌ  Ｂｌｏｃｋ、ＳＳＢ）を送信する必要がある。非スタンドアロン（ｎｏｎ  ｓｔａｎｄａｌｏｎｅ）モードでは、端末２０の同期と測定に利用でき、スタンドアロン（ｓｔａｎｄａｌｏｎｅ）モードでは、端末２０の初期アクセスにも利用できる。異なるＳＳＢが同様または相異のビームに対応できるため、ＳＳＢを送信する前に、アクセスネットワーク機器１０は、指向性ＬＢＴを実行してチャネルリスニングを行う必要がある。ＳＳＢはＳＳ／ＰＢＣＨ  Ｂｌｏｃｋと呼ばれてもよい。
【００２４】
時間ドメインでは、１つのＳＳＢは４つのシンボル（即ち、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボル）を占用し、１つのシンボルのプライマリ同期信号（Ｐｒｉｍａｒｙ  Ｓｙｎｃｈｒｏｎｉｚｅｄ  Ｓｉｇｎａｌ、ＰＳＳ）、１つのシンボルのセカンダリ同期信号（Ｓｅｃｏｎｄａｒｙ  Ｓｙｎｃｈｒｏｎｉｚｅｄ  Ｓｉｇｎａｌ、ＳＳＳ）及び２つのシンボルの物理放送チャネル（Ｐｈｙｓｉｃａｌ  Ｂｒｏａｄｃａｓｔ  Ｃｈａｎｎｅｌ、ＰＢＣＨ）を含む。ＳＳＢでは、シンボルは、昇順で番号を０から３でつける。周波数ドメインでは、１つのＳＳＢは２４の連続のリソースブロック（Ｒｅｓｏｕｒｃｅ  Ｂｌｏｃｋ、ＲＢ）を占用する。ＲＢごとに１２のサブキャリアを含み、上記２４のＲＢ中のサブキャリアは昇順で番号を０から２８７でつけ、番号の最も小さいＲＢを始めとする。ＰＳＳとＳＳＳに対しては、リソースは中間にある１２７番目のサブキャリアにマッピングされる。ＰＢＣＨに対しては、リソースは２８８番目のサブキャリアにマッピングされる。ＰＳＳ、ＳＳＳ、ＰＢＣＨは、サイクリックプレフィックス（Ｃｙｃｌｉｃ  Ｐｒｅｆｉｘ、ＣＰ）の長さとサブキャリア間隔が同じである。サブキャリア間隔は、１５ＫＨｚ、３０ＫＨｚ、１２０ＫＨｚや２４０ＫＨｚのように設定されてもよい。ビームスキャンをサポートするために、ＳＳＢは一連のバースト（ｂｕｒｓｔ）のように構成されており、定期的に送信されている。
【００２５】
図２を参照されたい。サブキャリア間隔が１５ＫＨｚである場合、時間ドメインでのＳＳＢの分布概略図を例示的に示す。１つのＳＳＢは連続の４つのシンボルを占用し、隣接する２つのＳＳＢの間には２つのシンボルの送信時間間隔がある。
【００２６】
図３Ａと図３Ｂを参照されたい。サブキャリア間隔が３０ＫＨｚである場合、時間ドメインでのＳＳＢの分布概略図を示す。第１のモードでは、図３Ａに示すように、１つのＳＳＢは連続の４つのシンボルを占用し、隣接する２つのＳＳＢの間は送信時間間隔がない。第２のモードでは、図３Ｂに示すように、１つのＳＳＢは連続の４つのシンボルを占用し、隣接する２つのＳＳＢの間は２つのシンボルの送信時間間隔がある。
【００２７】
図４を参照されたい。サブキャリア間隔が１２０ＫＨｚと２４０ＫＨｚである場合、時間ドメインでのＳＳＢの分布概略図を示す。１つのＳＳＢは連続の４つのシンボルを占用し、隣接する２つのＳＳＢの間は送信時間間隔がない。
【００２８】
上記図２〜図４から、アンライセンススペクトルを利用してＳＳＢを送信するとき、ＳＳＢ送信モードに対する現在の設計に基づき、一部のＳＳＢの間は時間ドメインで送信時間間隔がないか、または送信時間間隔が非常に短いが、ＣＣＡを実行するには一定の時間、少なくとも２５ｕｓの時間が必要であるため、一部のＳＳＢを送信する前に、ＣＣＡを実行できないことがあるとわかる。これにより、ＮＲシステムにおいてアンライセンススペクトルを利用したＳＳＢまたはＳＳＢの特性と類似する他の信号ブロックの送信に対しては、現在の段階では、適切な解決手段はいまだにないことがわかる。
【００２９】
図５を参照されたい。本願の１つの実施例によるクリアチャネルのリスニング方法のフローチャートを示す。該方法は、図１で示したモバイル通信システムのアクセスネットワーク機器１０に応用されることができる。該方法は、以下に示したいくつかのステップを含んでもよい。
【００３０】
ステップ５０１において、信号ブロックのセットを決定する。
【００３１】
本願の実施例において、信号ブロックのセットを定義する。信号ブロックのセットがｎ個の信号ブロックを含み、ｎが１以上の整数であり、即ち、信号ブロックのセットには、２つまたは２つ以上の信号ブロックが含まれる。信号ブロックごとに、少なくとも１つの信号及び／又は少なくとも１つのチャネルを含む。
【００３２】
１つの例では、上記信号ブロックはＳＳＢである。アクセスネットワーク機器１０はＳＳＢセットを決定することができ、ＳＳＢセットには、２つまたは２つ以上のＳＳＢが含まれる。
【００３３】
他の例では、信号ブロックごとに１つのＳＳＢと関連関係がある少なくとも１つの信号及び／又は少なくとも１つのチャネルを含む。
【００３４】
別の例では、信号ブロックごとに１つのＳＳＢ、およびこのＳＳＢと関連関係がある少なくとも１つの信号及び／又は少なくとも１つのチャネルを含む。
【００３５】
上記少なくとも１つの信号は、チャネル状態情報基準信号（Ｃｈａｎｎｅｌ  ｓｔａｔｅ  ｉｎｆｏｒｍａｔｉｏｎ−ｒｅｆｅｒｅｎｃｅ  ｓｉｇｎａｌ、ＣＳＩ−ＲＳ）、位相追跡基準信号（Ｐｈａｓｅ−ｔｒａｃｋｉｎｇ  ｒｅｆｅｒｅｎｃｅ  ｓｉｇｎａｌｓ、ＰＴＲＳ）、復調基準信号（Ｄｅｍｏｄｕｌａｔｉｏｎ  ｒｅｆｅｒｅｎｃｅ  ｓｉｇｎａｌ、ＤＭＲＳ）のうちの少なくとも１つを含む。
【００３６】
上記少なくとも１つのチャネルは、残り最小のシステム情報（Ｒｅｍａｉｎｉｎｇ  ｍｉｎｉｍｕｍ  ｓｙｓｔｅｍ  ｉｎｆｏｒｍａｔｉｏｎ、ＲＭＳＩ）をベアするチャネル、ＲＭＳＩに関連する物理ダウン制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、ページング情報をベアするチャネル、ページング情報に関連するＰＤＣＣＨ、他のシステム情報（ｏｔｈｅｒ  ｓｙｓｔｅｍ  ｉｎｆｏｒｍａｔｉｏｎ、ＯＳＩ）をベアするチャネル、ＯＳＩに関連するＰＤＣＣＨのうちの少なくとも１つを含む。
【００３７】
信号ブロックのセットの分割は、あらかじめ定義されてもよく（標準又はプロトコルによってあらかじめ規定されるなど）、アクセスネットワーク機器１０によってカスタマイズ設定されてもよく、例えばアクセスネットワーク機器１０の上位層によって設定され、そして下位層に知らせる。
【００３８】
１つの可能な実現形態において、時間ドメインでの間隔がＣＣＡの実行期間より小さい２つの隣接する信号ブロックは、同一信号ブロックのセットに分割される。ＣＣＡの実行期間は、ＣＣＡプロセスを１回完全に実行するには必要な時間を指し、該実行期間は実際の状況によって決定されてもよく、例えば実行されるＣＣＡの優先度によって決定される。
【００３９】
例示的に、信号ブロックがＳＳＢであることを例として、時間ドメインではＳＳＢが若干分布されており、そのうち時間ドメインでの１番目のＳＳＢと２番目のＳＳＢとの間隔はｔ１であり、時間ドメインでの２番目のＳＳＢと３番目のＳＳＢとの間隔はｔ２であり、時間ドメインでの３番目のＳＳＢと４番目のＳＳＢとの間隔はｔ１であり、時間ドメインでの４番目のＳＳＢと５番目のＳＳＢとの間隔はｔ２であり、これによって類推する。ＣＣＡの実行期間がｔ３であり、ｔ１＜ｔ３＜ｔ２であると仮定する場合、１番目のＳＳＢと２番目のＳＳＢとを同一ＳＳＢセットに分割し、３番目のＳＳＢと４番目のＳＳＢとを同一ＳＳＢセットに分割し、５番目のＳＳＢと６番目のＳＳＢとを同一ＳＳＢセットに分割することができ、これによって類推する。
【００４０】
時間ドメインでの間隔がＣＣＡの実行期間より小さい２つの隣接する信号ブロックを同一信号ブロックのセットに分割することにより、ＣＣＡを実行する時間が十分である信号ブロックをセット中の１番目の信号ブロックとし、ＣＣＡを実行する時間が十分ではない信号ブロックを上記セットに分割することは実現できる。
【００４１】
他の可能な実現形態において、時間ドメイン上で同一時間ドメイン分割区間に属する少なくとも２つの信号ブロックは、同一信号ブロックのセットに分割される。選択的に、時間ドメイン分割区間は、１つのサブフレーム、ハーフのサブフレーム、１つのタイムスロット、２つまたは２つ以上のタイムスロットのうちのいずれか１つである。このような分割方式は比較的にシンプルで直感的である。
【００４２】
当然ながら、本願の実施例において、他の分割方式を限定しない。例えば時間ドメイン上で同一時間ドメイン分割区間に属し、間隔がＣＣＡの実行期間より小さい２つの隣接する信号ブロックを、同一信号ブロックのセットに分割することができる。
【００４３】
信号ブロックのセットをとある分割方式に従って決定した後に、信号ブロックのセットに含まれたｎ個の信号ブロックの分布状態は、以下のいくつかの場合を含んでもよい。
【００４４】
１つの場合では、信号ブロックのセットに含まれたｎ個の信号ブロックでは任意の２つの隣接する信号ブロックは時間ドメインで送信時間間隔がない。即ち、隣接する、互いに間隔がないシンボルのｎ個の信号ブロックを１つの信号ブロックのセットに構成する。信号ブロックがＳＳＢであることを例として、図３Ａで示した３０ＫＨｚサブキャリア間隔または図４で示した１２０ＫＨｚサブキャリア間隔の場合、２つの隣接するＳＳＢを１つのＳＳＢセットに構成することができる。また、図４で示した２４０ＫＨｚサブキャリア間隔の場合、４つの隣接するＳＳＢを１つのＳＳＢセットに構成してもよい。
【００４５】
他の場合では、信号ブロックのセットに含まれたｎ個の信号ブロックでは時間ドメインで送信時間間隔がある隣接する信号ブロックは少なくとも２つ存在する。選択的に、上記送信時間間隔はｍ個のシンボル以下であり、ｍは正の整数である。即ち、隣接する、間隔がｍ個のシンボル以内であるｎ個の信号ブロックを１つの信号ブロックのセットに構成する。上記ｍの値は、サブキャリア間隔、ＣＣＡの実行期間などのパラメータを組み合わせて設定することができ、例えば時間ドメインでのｍ個のシンボルが対応する期間はＣＣＡの実行期間に近接し、本願の実施例はこれについて限定しない。信号ブロックがＳＳＢであることを例として、図２で示した１５ＫＨｚサブキャリア間隔または図３Ｂで示した３０ＫＨｚサブキャリア間隔の場合、隣接する、間隔が２つのシンボルである２つのＳＳＢを１つのＳＳＢセットに構成することができる。また、図３Ｂで示した３０ＫＨｚサブキャリア間隔の場合、隣接する、間隔が４つのシンボル以下である４つのＳＳＢを１つのＳＳＢセットに構成することもできる。
【００４６】
説明する必要があるものとして、こういう場合では、信号ブロックのセットに含まれた２つの隣接する信号ブロックごとに送信時間間隔は必ず存在するわけではなく、少なくとも１グループの隣接する信号ブロックの間に送信時間間隔が存在すればよい。例えば、図３Ａで示した３０ＫＨｚサブキャリア間隔の場合、隣接する、間隔が４つのシンボル以下である４つのＳＳＢを１つのＳＳＢセットに構成することができ、こういう場合では、１番目のＳＳＢと２番目のＳＳＢとの間は送信時間間隔がなくて、３番目のＳＳＢと４番目のＳＳＢとの間は送信時間間隔がなくて、２番目のＳＳＢと３番目のＳＳＢとの間は４つのシンボルの送信時間間隔が存在する。
【００４７】
選択的に、信号ブロックのセットに含まれたｎ個の信号ブロックのビーム方向は類似しており、即ち、ｎ個の信号ブロックのビーム方向は、同一セクター領域に属する。信号ブロックのビーム方向は、該信号ブロックの送信に使用するビームの方向のことを指す。上記セクター領域が対応する中心角は、６０°、９０°又は１２０°などのように予め定義されることができ、本願の実施例はこれについて限定しない。上記方式は、信号ブロックの送信成功率の向上に有利である。
【００４８】
ステップ５０２において、信号ブロックのセットに含まれた信号ブロックを送信する前に、アンライセンススペクトルのチャネルに対してＣＣＡを１回実行する。
【００４９】
アクセスネットワーク機器１０がアンライセンススペクトルを利用して信号ブロックのセットに含まれた信号ブロックを送信する前に、アクセスネットワーク機器１０は該アンライセンススペクトルのチャネルに対してＣＣＡを１回実行する。
【００５０】
本願の実施例において、アクセスネットワーク機器１０は、信号ブロックのセット中の実際に送信する必要がある１番目の信号ブロックを送信する前に、ＣＣＡを１回実行するが、信号ブロックのセット中の任意の２つの隣接する信号ブロックを送信する前に、即ち、信号ブロックのセット中の２番目の信号ブロックから最後の信号ブロックを送信する前に、ＣＣＡを実行しない。
【００５１】
選択的に、アクセスネットワーク機器１０は指向性ＣＣＡを実行する。いくつかの実施例において、ＣＣＡの方向は信号ブロックのセット中の任意の１つの信号ブロックのビーム方向と同様である。他のいくつかの実施例において、ＣＣＡの方向は信号ブロックのセット中の信号ブロックごとのビーム方向といずれも異なる。例示的に、ＣＣＡの方向は信号ブロックのセットに含まれたｎ個の信号ブロックのビーム方向を組み合わせた方向である。例えば、複数の狭いビームが１つの広いビームに組み合わせられ、ＣＣＡの方向は該広いビームに対応する方向であってもよい。
【００５２】
ステップ５０３において、ＣＣＡの結果は、アンライセンススペクトルのチャネルが利用できることであると、アンライセンススペクトルのチャネルを利用して信号ブロックのセットに含まれた信号ブロックを送信する。
【００５３】
本願の実施例において、信号ブロックのセットで定義されたｎ個の信号ブロックは、信号ブロックの候補位置（ｃａｎｄｉｄａｔｅ  ｌｏｃａｔｉｏｎ  ｆｏｒ  ｓｉｇｎａｌ  ｂｌｏｃｋ）のことを指す。即ち、任意の１つの信号ブロックの候補位置に対し、アクセスネットワーク機器１０は実際のニーズに応じて、１つの信号ブロックを該候補位置で実際に送信するかどうかを選択する。
【００５４】
例えば、図６Ａに示すように、ＳＳＢセットでは４つのＳＳＢの候補位置が定義される。例えば、アクセスネットワーク機器１０が実際のニーズに応じ、１番目と３番目のＳＳＢの候補位置でＳＳＢ送信せず、２番目と４番目のＳＳＢの候補位置でＳＳＢを送信すると決定する場合、実際に送信されるＳＳＢの分布概略図を図６Ｂに示す。さらに、例えば、アクセスネットワーク機器１０が実際のニーズに応じ、１番目から４番目のＳＳＢの候補位置のいずれでもＳＳＢを送信すると決定する場合、実際に送信されるＳＳＢの分布概略図を図６Ｃに示す。
【００５５】
選択的に、信号ブロックのセット中の１番目の実際に送信する必要がある信号ブロックを送信する前に、ＣＣＡを１回実行し、今回のＣＣＡの実行を完了し、且つＣＣＡの結果はアンライセンススペクトルのチャネルが利用できることであるとき、上記１番目の実際に送信する必要がある信号ブロックを即刻に送信する。即ち、ＣＣＡの実行完了時刻と信号ブロックのセットのうちの１番目の実際に送信する必要がある信号ブロックの送信時刻との間に時間間隔がなく、このように、チャネルが利用できると決定された場合の即時ではないＳＳＢの送信、信号ブロックを実際に送信するときにチャネルがすでに占用された状況の発生を回避し、信号ブロックの送信成功率を向上させ、信号干渉の発生を回避することができる。
【００５６】
例えば、図６Ｂと６Ｃとに示すように、１番目の実際に送信する必要があるＳＳＢを送信する前に、ＣＣＡを１回実行し、実行完了後に、該１番目の実際に送信する必要があるＳＳＢを即刻に送信する。
【００５７】
また、アクセスネットワーク機器１０は、信号ブロックを端末２０に送信する。信号ブロックのセットに含まれた信号ブロックを送信するとき、ビームスキャンの方式を利用して送信し、即ち、異なるビームを利用して異なる信号ブロックを送信してもよく、非ビームスキャンの方式を利用して送信し、例えば同一ビームを利用して２つまたは２つ以上の信号ブロックを送信してもよく、本願の実施例はこれについて限定しない。
【００５８】
説明する必要があるものとして、アンライセンススペクトルのチャネルを利用してもう１つの信号ブロックのセットに含まれた信号ブロックを送信する前に、アンライセンススペクトルのチャネルに対してＣＣＡをもう１回実行する。即ち、アンライセンススペクトルのチャネルを利用して任意の１つの信号ブロックのセットを送信する前に、いずれもＣＣＡを１回実行する必要がある。例えば、図７に示すように、アンライセンススペクトルのチャネルを利用して任意の１つのＳＳＢセットを送信する前に、いずれもＣＣＡを１回実行する必要がある。
【００５９】
要約すると、本願の実施例は、ＮＲシステムにおいてアンライセンススペクトルを利用して信号ブロックを送信する解決手段を提供しており、該解決手段は、無指向性ＬＢＴのみ実行する手段と、指向性ＬＢＴをそれぞれの信号ブロックの前に実行する手段という２つの解決手段の妥協手段と見なされてもよく、信号ブロックの間の間隔がＣＣＡ検出時間を満たすことができないという問題を解決し、アクセスネットワーク機器が信号ブロックを送信するとき、適切な指向性ＬＢＴを行い、送信成功率を向上させることを容易にする。
【００６０】
信号ブロックがＳＳＢであることを例として、本願の実施例による解決手段は、すでに定義されたＳＳＢの分布設計を変更する必要がなく、ＳＳＢの送信遅延を増加しない。
【００６１】
以下は、本願の装置の実施例であり、装置の実施例において詳細に説明しない細部について、上記方法の実施例を参照することができる。
【００６２】
図８を参照されたい。本願の１つの実施例によるクリアチャネルのリスニング装置のブロック図を示す。前記装置は、上記方法の例を実現する機能を備えており、前記機能がハードウェアによって実現されてもよく、相応のソフトウェアをハードウェアによる実行によって実現されてもよい。例えば、前記装置は、前に紹介されたアクセスネットワーク機器１０である。前記装置は、セット決定モジュール８１０、チャネルリスニングモジュール８２０及び信号送信モジュール８３０を含んでもよい。
【００６３】
セット決定モジュール８１０は、信号ブロックのセットを決定するためのものであり、前記信号ブロックのセットがｎ個の信号ブロックを含み、信号ブロックごとに、少なくとも１つの信号及び／又は少なくとも１つのチャネルを含み、前記ｎが１以上の整数である。
【００６４】
チャネルリスニングモジュール８２０は、前記信号ブロックのセットに含まれた信号ブロックを送信する前に、アンライセンススペクトルのチャネルに対してＣＣＡを１回実行するためのものである。
【００６５】
信号送信モジュール８３０は、前記ＣＣＡの結果は、前記アンライセンススペクトルのチャネルが利用できることであると、前記アンライセンススペクトルのチャネルを利用して前記信号ブロックのセットに含まれた信号ブロックを送信するためのものである。
【００６６】
図８の実施例に基づいて提供された１つの選択的な実施例において、前記信号ブロックはＳＳＢである。
【００６７】
図８の実施例に基づいて提供された別の選択的な実施例において、信号ブロックごとに、１つのＳＳＢと関連関係がある少なくとも１つの信号及び／又は少なくとも１つのチャネルを含む。
【００６８】
図８の実施例に基づいて提供された別の選択的な実施例において、信号ブロックごとに、１つのＳＳＢ、および前記１つのＳＳＢと関連関係がある少なくとも１つの信号及び／又は少なくとも１つのチャネルを含む。
【００６９】
選択的に、前記少なくとも１つの信号は、ＣＳＩ−ＲＳ、ＰＴＲＳ、ＤＭＲＳのうちの少なくとも１つを含む。
【００７０】
選択的に、前記少なくとも１つのチャネルは、ＲＭＳＩをベアするチャネル、ＲＭＳＩに関連するＰＤＣＣＨ、ページング情報をベアするチャネル、ページング情報に関連するＰＤＣＣＨ、ＯＳＩをベアするチャネル、ＯＳＩに関連するＰＤＣＣＨのうちの少なくとも１つを含む。
【００７１】
図８の実施例に基づいて提供された１つの選択的な実施例において、前記信号ブロックのセットのうちの１番目の実際に送信する必要がある信号ブロックを送信する前に、前記ＣＣＡを１回実行する。
【００７２】
図８の実施例に基づいて提供された別の選択的な実施例において、前記信号ブロックのセットのうちの２つの隣接する信号ブロックを送信する前に、ＣＣＡを実行しない。
【００７３】
図８の実施例に基づいて提供された別の選択的な実施例において、前記アンライセンススペクトルのチャネルを利用してもう１つの信号ブロックのセットに含まれた信号ブロックを送信する前に、前記アンライセンススペクトルのチャネルに対してＣＣＡをもう１回実行する。
【００７４】
図８の実施例に基づいて提供された別の選択的な実施例において、前記ＣＣＡの方向は前記信号ブロックのセット中の任意の１つの信号ブロックのビーム方向と同様である。
【００７５】
図８の実施例に基づいて提供された別の選択的な実施例において、前記ＣＣＡの方向は前記信号ブロックのセット中の信号ブロックごとのビーム方向といずれも異なる。
【００７６】
図８の実施例に基づいて提供された別の選択的な実施例において、時間ドメインでの間隔が前記ＣＣＡの実行期間より小さい２つの隣接する信号ブロックは、同一信号ブロックのセットに分割される。
【００７７】
図８の実施例に基づいて提供された別の選択的な実施例において、時間ドメイン上で同一時間ドメイン分割区間に属する少なくとも２つの信号ブロックは、同一信号ブロックのセットに分割される。
【００７８】
１つの可能な設計において、前記時間ドメイン分割区間は、１つのサブフレーム、ハーフのサブフレーム、１つのタイムスロット、２つまたは２つ以上タイムスロットのうちのいずれか１つである。
【００７９】
図９を参照されたい。本願の１つの実施例によるアクセスネットワーク機器１０の構造概略図を示しており、該アクセスネットワーク機器１０は、プロセッサ１０１、受信機１０２、発信機１０３、メモリ１０４及びバス１０５を含んでもよい。
【００８０】
プロセッサ１０１は、１つまたは１つ以上の処理コアを含み、プロセッサ１０１は、ソフトウェアプログラムおよびモジュールを実行することにより、様々な機能アプリケーションおよび情報処理を実行する。
【００８１】
受信機１０２と発信機１０３は、１つの通信コンポーネントとして実現でき、該通信コンポーネントは、１つの通信チップであってもよい。
【００８２】
メモリ１０４はバス１０５を介してプロセッサ１０１と接続する。
【００８３】
メモリ１０４は少なくとも１つの命令を記憶するためのものであってもよく、プロセッサ１０１は、該少なくとも１つの命令を実行し、上記方法の実施例におけるアクセスネットワーク機器１０によって実行される各ステップを実現するためのものである。
【００８４】
なお、メモリ１０４は、任意のタイプの揮発性又は不揮発性記憶機器、またはそれらの組み合わせによって実現されることができ、揮発性又は不揮発性記憶機器が磁気ディスク又はコンパクトディスク、電気的消去可能プログラマブル読み取り専用メモリ（ＥＥＰＲＯＭ）、消去可能プログラマブル読み取り専用メモリ（ＥＰＲＯＭ）、スタティックランダムアクセスメモリ（ＳＲＡＭ）、読み取り専用メモリ（ＲＯＭ）、磁気メモリ、フラッシュメモリ、プログラマブル読み取り専用メモリ（ＰＲＯＭ）を含むが、それらに限定されない。
【００８５】
本願の実施例はまた、コンピュータ可読記憶媒体を提供し、前記記憶媒体に少なくとも１つの命令が記憶されており、前記少なくとも１つの命令が、プロセッサによってロードされて実行されることにより、上記実施例によるアンライセンススペクトルで同期信号を送信する方法を実現する。
【００８６】
本願はさらに、コンピュータプログラム製品を提供し、コンピュータプログラム製品がコンピュータで実行されるとき、コンピュータに上記方法の実施例によるアンライセンススペクトルで同期信号を送信する方法を実行させる。
【００８７】
当業者は、上記１つ又は複数の例では、本願の実施例で説明した機能がハードウェア、ソフトウェア、ファームウェア又はそれらの任意の組み合わせを用いて実現できると認識すべきである。ソフトウェアを利用して実現する場合、これらの機能をコンピュータ可読媒体に記憶し、またはコンピュータ可読媒体の１つ又は複数の命令又はコードとして伝送することができる。コンピュータ可読媒体はコンピュータ記憶媒体と通信媒体とを含み、そのうち通信媒体がコンピュータプログラムを１つの場所からもう１つの場所へ伝達することを容易にする任意の媒体を含む。記憶媒体は、汎用又は専用コンピュータがアクセスできる任意の利用可能な媒体であってもよい。  
【００８８】
以上説明したのは、本願の例示的実施例にすぎず、本願を制限するためのものではなく、本願の趣旨と原則範囲内で行われたすべての修正、等価置換、改善などは、いずれも本願の保護範囲内に含まれるべきである。
【図１】
2021521669.tif 000003
【図２】
2021521669.tif 000004
【図３Ａ】
2021521669.tif 000005
【図３Ｂ】
2021521669.tif 000006
【図４】
2021521669.tif 000007
【図５】
2021521669.tif 000008
【図６Ａ】
2021521669.tif 000009
【図６Ｂ】
2021521669.tif 000010
【図６Ｃ】
2021521669.tif 000011
【図７】
2021521669.tif 000012
【図８】
2021521669.tif 000013
【図９】
2021521669.tif 000014
【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
クリアチャネルのリスニング方法であって、前記方法は、
信号ブロックのセットを決定し、前記信号ブロックのセットがｎ個の信号ブロックを含み、信号ブロックごとに、少なくとも１つの信号及び／又は少なくとも１つのチャネルを含み、前記ｎが１以上の整数であることと、
前記信号ブロックのセットに含まれた信号ブロックを送信する前に、アンライセンススペクトルのチャネルに対してクリアチャネルアセスメントＣＣＡを一回実行することと、
前記ＣＣＡの結果は、前記アンライセンススペクトルのチャネルが利用できることであると、前記アンライセンススペクトルのチャネルを利用して前記信号ブロックのセットに含まれた信号ブロックを送信することと、を含むことを特徴とするクリアチャネルのリスニング方法。
【請求項２】
前記信号ブロックは同期信号ブロックＳＳＢであり、
信号ブロックごとに、１つのＳＳＢと関連関係がある少なくとも１つの信号及び／又は少なくとも１つのチャネル、及び／又は
１つのＳＳＢ、および前記１つのＳＳＢと関連関係がある少なくとも１つの信号及び／又は少なくとも１つのチャネルを含むことを特徴とする請求項１に記載の方法。
【請求項３】
前記少なくとも１つの信号は、チャネル状態情報基準信号ＣＳＩ−ＲＳ、位相追跡基準信号ＰＴＲＳ、復調基準信号ＤＭＲＳのうちの少なくとも１つを含み、
前記少なくとも１つのチャネルは、残り最小のシステム情報ＲＭＳＩをベアするチャネル、ＲＭＳＩに関連する物理ダウン制御チャネルＰＤＣＣＨ、ページング情報をベアするチャネル、ページング情報に関連するＰＤＣＣＨ、他のシステム情報ＯＳＩをベアするチャネル、ＯＳＩに関連するＰＤＣＣＨのうちの少なくとも１つを含むことを特徴とする請求項２に記載の方法。
【請求項４】
前記信号ブロックのセットのうちの１番目の実際に送信する必要がある信号ブロックを送信する前に、前記ＣＣＡを１回実行することを特徴とする請求項１〜請求項３のいずれか１項に記載の方法。
【請求項５】
前記信号ブロックのセットのうちの２つの隣接する信号ブロックを送信する前に、ＣＣＡを実行しないことを特徴とする請求項１〜請求項４のいずれか１項に記載の方法。
【請求項６】
前記アンライセンススペクトルのチャネルを利用してもう１つの信号ブロックのセットに含まれた信号ブロックを送信する前に、前記アンライセンススペクトルのチャネルに対してＣＣＡをもう１回実行することを特徴とする請求項１〜請求項５のいずれか１項に記載の方法。
【請求項７】
前記ＣＣＡの方向は前記信号ブロックのセット中の任意の１つの信号ブロックのビーム方向と同様であり、又は
前記ＣＣＡの方向は前記信号ブロックのセット中の信号ブロックごとのビーム方向といずれも異なることを特徴とする請求項１〜請求項６のいずれか１項に記載の方法。
【請求項８】
時間ドメインでの間隔が前記ＣＣＡの実行期間より小さい２つの隣接する信号ブロックは、同一信号ブロックのセットに分割されることを特徴とする請求項１〜請求項７のいずれか１項に記載の方法。
【請求項９】
時間ドメイン上で同一時間ドメイン分割区間に属する少なくとも２つの信号ブロックは、同一信号ブロックのセットに分割されることを特徴とする請求項１〜請求項８のいずれか１項に記載の方法。
【請求項１０】
前記時間ドメイン分割区間は、１つのサブフレーム、ハーフのサブフレーム、１つのタイムスロット、２つまたは２つ以上のタイムスロットのうちのいずれか１つであることを特徴とする請求項９に記載の方法。
【請求項１１】
クリアチャネルのリスニング装置であって、前記装置は、
信号ブロックのセットを決定するためのセット決定モジュールであって、前記信号ブロックのセットがｎ個の信号ブロックを含み、信号ブロックごとに、少なくとも１つの信号及び／又は少なくとも１つのチャネルを含み、前記ｎが１以上の整数であるセット決定モジュールと、
前記信号ブロックのセットに含まれた信号ブロックを送信する前に、アンライセンススペクトルのチャネルに対してクリアチャネルアセスメントＣＣＡを一回実行するためのチャネルリスニングモジュールと、
前記ＣＣＡの結果は、前記アンライセンススペクトルのチャネルが利用できることであると、前記アンライセンススペクトルのチャネルを利用して前記信号ブロックのセットに含まれた信号ブロックを送信するための信号送信モジュールと、を含むことを特徴とするクリアチャネルのリスニング装置。
【請求項１２】
前記信号ブロックは同期信号ブロックＳＳＢであり、
信号ブロックごとに、１つのＳＳＢと関連関係がある少なくとも１つの信号及び／又は少なくとも１つのチャネル、及び／又は
１つのＳＳＢ、および前記１つのＳＳＢと関連関係がある少なくとも１つの信号及び／又は少なくとも１つのチャネルを含むことを特徴とする請求項１１に記載の装置。
【請求項１３】
前記少なくとも１つの信号は、チャネル状態情報基準信号ＣＳＩ−ＲＳ、位相追跡基準信号ＰＴＲＳ、復調基準信号ＤＭＲＳのうちの少なくとも１つを含み、
前記少なくとも１つのチャネルは、残り最小のシステム情報ＲＭＳＩをベアするチャネル、ＲＭＳＩに関連する物理ダウン制御チャネルＰＤＣＣＨ、ページング情報をベアするチャネル、ページング情報に関連するＰＤＣＣＨ、他のシステム情報ＯＳＩをベアするチャネル、ＯＳＩに関連するＰＤＣＣＨのうちの少なくとも１つを含むことを特徴とする請求項１２に記載の装置。
【請求項１４】
前記信号ブロックのセットのうちの１番目の実際に送信する必要がある信号ブロックを送信する前に、前記ＣＣＡを１回実行することを特徴とする請求項１１〜請求項１３のいずれか１項に記載の装置。
【請求項１５】
前記信号ブロックのセットのうちの２つの隣接する信号ブロックを送信する前に、ＣＣＡを実行しないことを特徴とする請求項１１〜請求項１４のいずれか１項に記載の装置。
【請求項１６】
前記アンライセンススペクトルのチャネルを利用してもう１つの信号ブロックのセットに含まれた信号ブロックを送信する前に、前記アンライセンススペクトルのチャネルに対してＣＣＡをもう１回実行することを特徴とする請求項１１〜請求項１５のいずれか１項に記載の装置。
【請求項１７】
前記ＣＣＡの方向は前記信号ブロックのセット中の任意の１つの信号ブロックのビーム方向と同様であり、又は
前記ＣＣＡの方向は前記信号ブロックのセット中の信号ブロックごとのビーム方向といずれも異なることを特徴とする請求項１１〜請求項１６のいずれか１項に記載の装置。
【請求項１８】
時間ドメインでの間隔が前記ＣＣＡの実行期間より小さい２つの隣接する信号ブロックは、同一信号ブロックのセットに分割されることを特徴とする請求項１１〜請求項１７のいずれか１項に記載の装置。
【請求項１９】
時間ドメイン上で同一時間ドメイン分割区間に属する少なくとも２つの信号ブロックは、同一信号ブロックのセットに分割されることを特徴とする請求項１１〜請求項１８のいずれか１項に記載の装置。
【請求項２０】
前記時間ドメイン分割区間は、１つのサブフレーム、ハーフのサブフレーム、１つのタイムスロット、２つまたは２つ以上のタイムスロットのうちのいずれか１つであることを特徴とする請求項１９に記載の装置。
【国際調査報告】
2021521669.tif 000015
2021521669.tif 000016
2021521669.tif 000017
2021521669.tif 000018